(57)【要約】【課題】本発明は、１台で、各種変調方式の変調光を生成することができる光変調信号発生装置を提供することを目的とする。【解決手段】本願発明の光変調信号発生装置９１は、ＤＰＳＫ変調又はＤＱＰＳＫ変調を行うＤＱＰＳＫ変調部１２と、ＲＺ変調又はＣＳＲＺ変調を行うＲＺ／ＣＳＲＺ変調部１４と、を備え、Ｉ信号生成用のＡＢＣ３７、Ｑ信号生成用のＡＢＣ３８及びＲＺ／ＣＳＲＺ信号生成用のＡＢＣ５３のバイアス電圧の設定を可変し、かつ、Ｉ信号生成用のドライバ３５、Ｑ信号生成用のドライバ３６及びＲＺ／ＣＳＲＺ信号生成用のドライバ５１、５２の出力信号を可変することにより、ＯＯＫ変調方式、光デュオバイナリ変調方式、ＤＰＳＫ変調方式、ＤＱＰＳＫ変調方式、ＲＺ−ＤＰＳＫ変調方式、ＣＳＲＺ−ＤＰＳＫ変調方式、ＲＺ−ＤＱＰＳＫ変調方式、及び、ＣＳＲＺ−ＤＱＰＳＫ変調方式、のいずれかの変調方式の変調光を生成することを特徴とする。【選択図】図１
2010287925.tif 000002
【特許請求の範囲】
【請求項１】
任意の波長のレーザ光を出力するレーザ光源（２６）と、
該レーザ光源の出力光が入力され、マッハツェンダ干渉計の２つの光路上に、Ｉ（Ｉｎ−ｐｈａｓｅ）信号生成用のＭＺＭ（Ｍａｃｈ−Ｚｅｈｎｄｅｒ  Ｍｏｄｕｌａｔｏｒ）（２１）、Ｑ（Ｑｕａｄｒａｔｕｒｅ）信号生成用のＭＺＭ（２２）及び両変調光の位相を直交させるπ／２位相シフタ（２５）を配置したＤＱＰＳＫ変調部（１２）と、
該ＤＱＰＳＫ変調部の出力光が入力され、ＲＺ変調光又はＣＳＲＺ変調光を出力するＲＺ／ＣＳＲＺ信号生成用のＭＺＭ（２４）と、
エンコードされた符号が入力され、前記Ｉ信号生成用のＭＺＭに任意の振幅の変調信号を出力するＩ信号生成用のドライバ（３５）と、
エンコードされた符号が入力され、前記Ｑ信号生成用のＭＺＭに任意の振幅の変調信号を出力するＱ信号生成用のドライバ（３６）と、
前記Ｉ信号生成用のＭＺＭに任意のバイアス電圧を設定するＩ信号生成用のＡＢＣ（Ａｕｔｏ  Ｂｉａｓ  Ｃｏｎｔｒｏｌ）（３７）と、
前記Ｑ信号生成用のＭＺＭに任意のバイアス電圧を設定するＱ信号生成用のＡＢＣ（３８）と、
変調信号クロックが入力されて前記ＲＺ／ＣＳＲＺ信号生成用のＭＺＭに任意の振幅の変調信号を出力するＲＺ／ＣＳＲＺ信号生成用のドライバ（５１、５２）と、
該ＲＺ／ＣＳＲＺ信号生成用のＭＺＭに任意のバイアス電圧を設定するＲＺ／ＣＳＲＺ信号生成用のＡＢＣ（５３）と、
を備え、
前記Ｉ信号生成用のＡＢＣ、前記Ｑ信号生成用のＡＢＣ及び前記ＲＺ／ＣＳＲＺ信号生成用のＡＢＣのバイアス電圧の設定を可変し、かつ、前記Ｉ信号生成用のドライバ、前記Ｑ信号生成用のドライバ及びＲＺ／ＣＳＲＺ信号生成用のドライバの出力信号を可変することにより、複数の変調方式の変調光を生成することを特徴とする光変調信号発生装置。
【請求項２】
伝送信号であるデジタル信号が入力され、光デュオバイナリ符号に変換する光デュオバイナリ信号エンコーダ（４１）と、
該光デュオバイナリ信号エンコーダからの信号が入力され、低周波成分のみを透過させるローパスフィルタ（ＬＰＦ）（４２）と、
伝送信号であるデジタル信号を１対２に分配するＤｅｍｕｘ（Ｄｅｍｕｌｔｉｐｌｅｘｅｒ）（３２）と、
前記Ｄｅｍｕｘからのデジタル信号が入力され、ＤＰＳＫ符号に変換するＩ信号生成用のＤＰＳＫエンコーダ（３３）及びＱ信号生成用のＤＰＳＫエンコーダ（３４）と、
伝送信号であるデジタル信号と前記Ｄｅｍｕｘからの信号が入力され、いずれか一方を前記Ｉ信号生成用のＤＰＳＫエンコーダ及び前記Ｑ信号生成用のＤＰＳＫエンコーダに出力するＤＰＳＫ用のＲｆ（Ｒａｄｉｏ  Ｆｒｅｑｕｅｎｃｙ）スイッチ（３１）と、
をさらに備えることを特徴とする請求項１に記載の光変調信号発生装置。
【請求項３】
任意の波長のレーザ光を出力する第１のレーザ光源（２６）と、
該レーザ光源の出力光が入力され、マッハツェンダ干渉計の２つの光路上に、Ｉ信号生成用のＭＺＭ（２１）、Ｑ信号生成用のＭＺＭ（２２）及び両変調光の位相を直交させるπ／２位相シフタ（２５）を配置したＤＱＰＳＫ変調部（１２）と、
任意の波長のレーザ光を出力する第２のレーザ光源（２７）と、
該レーザ光源の出力光が入力され、光デュオバイナリ変調光を出力する光デュオバイナリ信号生成用のＭＺＭ（２３）と、
光デュオバイナリ符号にエンコードされた信号、またはデジタル信号が入力され、前記光デュオバイナリ信号生成用のＭＺＭに任意の振幅の変調信号を出力する光デュオバイナリ信号生成用のドライバ（４３）と、
前記光デュオバイナリ信号生成用のＭＺＭに任意のバイアス電圧を設定する光デュオバイナリ信号生成用のＡＢＣ（４４）と、
前記光デュオバイナリ信号生成用のＭＺＭからの変調光と前記ＤＱＰＳＫ変調部からの変調光とが入力され、入力された変調光のいずれか一方を選択して出力する２×２の第１の光スイッチ（１５ａ）と、
該第１の光スイッチの一方の出力光が入力され、ＲＺ変調光又はＣＳＲＺ変調光を出力するＲＺ／ＣＳＲＺ信号生成用のＭＺＭ（２４）と、
エンコードされた符号が入力され、前記Ｉ信号生成用のＭＺＭに任意の振幅の変調信号を出力するＩ信号生成用のドライバ（３５）と、
エンコードされた符号が入力され、前記Ｑ信号生成用のＭＺＭに任意の振幅の変調信号を出力するＱ信号生成用のドライバ（３６）と、
前記Ｉ信号生成用のＭＺＭに任意のバイアス電圧を設定するＩ信号生成用のＡＢＣ（３７）と、
前記Ｑ信号生成用のＭＺＭに任意のバイアス電圧を設定するＱ信号生成用のＡＢＣ（３８）と、
変調信号クロックが入力されて前記ＲＺ／ＣＳＲＺ信号生成用のＭＺＭに任意の振幅の変調信号を出力するＲＺ／ＣＳＲＺ信号生成用のドライバ（５１、５２）と、
該ＲＺ／ＣＳＲＺ信号生成用のＭＺＭに任意のバイアス電圧を設定するＲＺ／ＣＳＲＺ信号生成用のＡＢＣ（５３）と、
を備え、
前記ＲＺ／ＣＳＲＺ信号生成用のＡＢＣでＲＺ変調又はＣＳＲＺ変調をする場合としない場合の信号を選択してそれぞれの光信号出力部（１６ａ、１６ｂ）に出力可能とし、
前記光デュオバイナリ信号生成用のＡＢＣ、前記Ｉ信号生成用のＡＢＣ、前記Ｑ信号生成用のＡＢＣ及び前記ＲＺ／ＣＳＲＺ信号生成用のＡＢＣのバイアス電圧の設定を可変し、かつ、前記光デュオバイナリ信号生成用のドライバ、前記Ｉ信号生成用のドライバ、前記Ｑ信号生成用のドライバ及びＲＺ／ＣＳＲＺ信号生成用のドライバの出力信号を可変することにより、複数の変調方式の変調光を生成することを特徴とする光変調信号発生装置。
【請求項４】
前記ＲＺ／ＣＳＲＺ信号生成用のＭＺＭから変調光と前記第１の光スイッチのもう一方の出力光とが入力されて選択して出力する第２の光スイッチ（１５ｂ）を配置し、前記ＲＺ／ＣＳＲＺ信号生成用のＭＺＭでＲＺ変調又はＣＳＲＺ変調をする場合としない場合の変調光を前記第２の光スイッチで切り替えて１つの光信号出力部（１６）に出力可能とし、
前記光デュオバイナリ信号生成用のＡＢＣ、前記Ｉ信号生成用のＡＢＣ、前記Ｑ信号生成用のＡＢＣ及び前記ＲＺ／ＣＳＲＺ信号生成用のＡＢＣのバイアス電圧の設定を可変し、かつ、前記光デュオバイナリ信号生成用のドライバ、前記Ｉ信号生成用のドライバ、前記Ｑ信号生成用のドライバ及びＲＺ／ＣＳＲＺ信号生成用のドライバの出力信号を可変することにより、複数の変調方式の変調光を生成することを特徴とする請求項３に記載の光変調信号発生装置。
【請求項５】
伝送信号であるデジタル信号が入力され、光デュオバイナリ符号に変換する光デュオバイナリ信号エンコーダ（４１）と、
該光デュオバイナリ信号エンコーダからの信号が入力され、低周波成分のみを透過させるローパスフィルタ（ＬＰＦ）（４２）と、
伝送信号であるデジタル信号を１対２に分配するＤｅｍｕｘ（３２）と、
前記Ｄｅｍｕｘからのデジタル信号が入力され、ＤＰＳＫ符号に変換するＩ信号生成用のＤＰＳＫエンコーダ（３３）及びＱ信号生成用のＤＰＳＫエンコーダ（３４）と、
伝送信号であるデジタル信号と前記Ｄｅｍｕｘからの信号が入力され、いずれか一方を前記Ｉ信号生成用のＤＰＳＫエンコーダ及び前記Ｑ信号生成用のＤＰＳＫエンコーダに出力する第１のＲｆスイッチ（３１）と、
伝送信号であるデジタル信号と前記ＬＰＦからの信号と前記Ｉ信号生成用のＤＰＳＫエンコーダからの信号と前記Ｑ信号生成用のＤＰＳＫエンコーダからの信号とが入力され、前記Ｉ信号生成用のドライバと前記Ｑ信号生成用のドライバと前記光デュオバイナリ信号生成用のドライバに出力する第２のＲｆスイッチ（１８）と、
をさらに備えることを特徴とする請求項３又は４に記載の光変調信号発生装置。
【発明の詳細な説明】
【技術分野】
【０００１】
本発明は、光変調信号発生装置に関し、特に各種変調方式の変調光を生成する光変調信号発生装置に関する。
【背景技術】
【０００２】
光通信システムの高速化及び大容量化を実現すべく、従来のＮＲＺ（Ｎｏｎ  Ｒｅｔｕｒｎ  ｔｏ  Ｚｅｒｏ）符号やＲＺ（Ｒｅｔｕｒｎ  ｔｏ  Ｚｅｒｏ）符号を用いたＯＯＫ（Ｏｎ／Ｏｆｆ  Ｋｅｙｉｎｇ）変調方式のような強度変調方式に加えて、光デュオバイナリ（Ｏｐｔｉｃａｌ  Ｄｕｏ−Ｂｉｎａｒｙ）変調方式やＤＰＳＫ（Ｄｉｆｆｅｒｅｎｔｉａｌ  Ｐｈａｓｅ  Ｓｈｉｆｔ  Ｋｅｙｉｎｇ）変調方式やＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ）変調方式のような光位相変調方式の導入が検討されている（例えば、特許文献１及び２参照。）。
【０００３】
ＤＱＰＳＫ変調方式は差動４値位相変調方式で、従来のＯＯＫ変調方式と比べると、信号帯域が狭く、周波数利用効率の向上や伝送距離の拡大や高感度化への期待が大きい。光デュオバイナリ変調方式は分散耐力が高く、従来の２値のＮＲＺ符号を用いたＯＯＫ変調方式に比べて２倍以上の分散耐力をもつ。
【０００４】
従来は、各種光変調方式に応じて、ＬＮ変調器やＬＮ変調器用のドライバやＡＢＣ（Ａｕｔｏ  Ｂｉａｓ  Ｃｏｎｔｒｏｌ）回路を用意し、ＬＮ変調器のバイアス電圧や変調信号の振幅を調整して光変調信号を得ていた。
【先行技術文献】
【特許文献】
【０００５】
【特許文献１】特開２００７−４３６３８号公報
【特許文献２】特許３５７７９３１号公報
【発明の概要】
【発明が解決しようとする課題】
【０００６】
しかし、様々な光変調方式に対応するためには、多くの変調信号発生器を用意する必要があり、非常に煩雑である。
【０００７】
そこで、本発明は、１台で、各種変調方式の変調光を生成することができる光変調信号発生装置を提供することを目的とする。
【課題を解決するための手段】
【０００８】
上記目的を達成するために、本願発明の光変調信号発生装置は、任意の波長のレーザ光を出力するレーザ光源（２６）と、該レーザ光源の出力光が入力され、マッハツェンダ干渉計の２つの光路上に、Ｉ（Ｉｎ−ｐｈａｓｅ）信号生成用のＭＺＭ（Ｍａｃｈ−Ｚｅｈｎｄｅｒ  Ｍｏｄｕｌａｔｏｒ）（２１）、Ｑ（Ｑｕａｄｒａｔｕｒｅ）信号生成用のＭＺＭ（２２）及び両変調光の位相を直交させるπ／２位相シフタ（２５）を配置したＤＱＰＳＫ変調部（１２）と、該ＤＱＰＳＫ変調部の出力光が入力され、ＲＺ変調光又はＣＳＲＺ変調光を出力するＲＺ／ＣＳＲＺ信号生成用のＭＺＭ（２４）と、エンコードされた符号が入力され、前記Ｉ信号生成用のＭＺＭに任意の振幅の変調信号を出力するＩ信号生成用のドライバ（３５）と、エンコードされた符号が入力され、前記Ｑ信号生成用のＭＺＭに任意の振幅の変調信号を出力するＱ信号生成用のドライバ（３６）と、前記Ｉ信号生成用のＭＺＭに任意のバイアス電圧を設定するＩ信号生成用のＡＢＣ（３７）と、前記Ｑ信号生成用のＭＺＭに任意のバイアス電圧を設定するＱ信号生成用のＡＢＣ（３８）と、変調信号クロックが入力されて前記ＲＺ／ＣＳＲＺ信号生成用のＭＺＭに任意の振幅の変調信号を出力するＲＺ／ＣＳＲＺ信号生成用のドライバ（５１、５２）と、該ＲＺ／ＣＳＲＺ信号生成用のＭＺＭに任意のバイアス電圧を設定するＲＺ／ＣＳＲＺ信号生成用のＡＢＣ（５３）と、を備え、前記Ｉ信号生成用のＡＢＣ、前記Ｑ信号生成用のＡＢＣ及び前記ＲＺ／ＣＳＲＺ信号生成用のＡＢＣのバイアス電圧の設定を可変し、かつ、前記Ｉ信号生成用のドライバ、前記Ｑ信号生成用のドライバ及びＲＺ／ＣＳＲＺ信号生成用のドライバの出力信号を可変することにより、複数の変調方式の変調光を生成することを特徴とする。
【０００９】
Ｉ信号生成用のＡＢＣ（３７）とＱ信号生成用のＡＢＣ（３８）とＲＺ／ＣＳＲＺ信号生成用のＡＢＣ（５３）のバイアス電圧の設定、及び、Ｉ信号生成用のドライバ（３５）とＱ信号生成用のドライバ（３６）とＲＺ／ＣＳＲＺ信号生成用のドライバ（５１、５２）の出力信号を可変することにより、ＯＯＫ変調方式、光デュオバイナリ変調方式、ＤＰＳＫ変調方式、ＤＱＰＳＫ変調方式、ＲＺ変調方式とＤＰＳＫ変調方式を組み合わせたＲＺ−ＤＰＳＫ変調方式、ＣＳＲＺ変調方式とＤＰＳＫ変調方式を組み合わせたＣＳＲＺ−ＤＰＳＫ変調方式、ＲＺ変調方式とＤＱＰＳＫ変調方式を組み合わせたＲＺ−ＤＱＰＳＫ変調方式、ＣＳＲＺ変調方式とＤＱＰＳＫ変調方式を組み合わせたＣＳＲＺ−ＤＱＰＳＫ変調方式のいずれかの変調方式の変調光を生成することができる。
【００１０】
本願発明の光変調信号発生装置では、伝送信号であるデジタル信号が入力され、光デュオバイナリ符号に変換する光デュオバイナリ信号エンコーダ（４１）と、該光デュオバイナリ信号エンコーダからの信号が入力され、低周波成分のみを透過させるローパスフィルタ（ＬＰＦ）（４２）と、伝送信号であるデジタル信号を１対２に分配するＤｅｍｕｘ（Ｄｅｍｕｌｔｉｐｌｅｘｅｒ）（３２）と、前記Ｄｅｍｕｘからのデジタル信号が入力され、ＤＰＳＫ符号に変換するＩ信号生成用のＤＰＳＫエンコーダ（３３）及びＱ信号生成用のＤＰＳＫエンコーダ（３４）と、伝送信号であるデジタル信号と前記Ｄｅｍｕｘからの信号が入力され、いずれか一方を前記Ｉ信号生成用のＤＰＳＫエンコーダ及び前記Ｑ信号生成用のＤＰＳＫエンコーダに出力するＤＰＳＫ用のＲｆ（Ｒａｄｉｏ  Ｆｒｅｑｕｅｎｃｙ）スイッチ（３１）と、をさらに備えることが好ましい。
【００１１】
上記目的を達成するために、本願発明の光変調信号発生装置は、任意の波長のレーザ光を出力する第１のレーザ光源（２６）と、該レーザ光源の出力光が入力され、マッハツェンダ干渉計の２つの光路上に、Ｉ信号生成用のＭＺＭ（２１）、Ｑ信号生成用のＭＺＭ（２２）及び両変調光の位相を直交させるπ／２位相シフタ（２５）を配置したＤＱＰＳＫ変調部（１２）と、任意の波長のレーザ光を出力する第２のレーザ光源（２７）と、該レーザ光源の出力光が入力され、光デュオバイナリ変調光を出力する光デュオバイナリ信号生成用のＭＺＭ（２３）と、光デュオバイナリ符号にエンコードされた信号、またはデジタル信号が入力され、前記光デュオバイナリ信号生成用のＭＺＭに任意の振幅の変調信号を出力する光デュオバイナリ信号生成用のドライバ（４３）と、前記光デュオバイナリ信号生成用のＭＺＭに任意のバイアス電圧を設定する光デュオバイナリ信号生成用のＡＢＣ（４４）と、前記光デュオバイナリ信号生成用のＭＺＭからの変調光と前記ＤＱＰＳＫ変調部からの変調光とが入力され、入力された変調光のいずれか一方を選択して出力する２×２の第１の光スイッチ（１５ａ）と、該第１の光スイッチの一方の出力光が入力され、ＲＺ変調光又はＣＳＲＺ変調光を出力するＲＺ／ＣＳＲＺ信号生成用のＭＺＭ（２４）と、エンコードされた符号が入力され、前記Ｉ信号生成用のＭＺＭに任意の振幅の変調信号を出力するＩ信号生成用のドライバ（３５）と、エンコードされた符号が入力され、前記Ｑ信号生成用のＭＺＭに任意の振幅の変調信号を出力するＱ信号生成用のドライバ（３６）と、前記Ｉ信号生成用のＭＺＭに任意のバイアス電圧を設定するＩ信号生成用のＡＢＣ（３７）と、前記Ｑ信号生成用のＭＺＭに任意のバイアス電圧を設定するＱ信号生成用のＡＢＣ（３８）と、変調信号クロックが入力されて前記ＲＺ／ＣＳＲＺ信号生成用のＭＺＭに任意の振幅の変調信号を出力するＲＺ／ＣＳＲＺ信号生成用のドライバ（５１、５２）と、該ＲＺ／ＣＳＲＺ信号生成用のＭＺＭに任意のバイアス電圧を設定するＲＺ／ＣＳＲＺ信号生成用のＡＢＣ（５３）と、を備え、前記ＲＺ／ＣＳＲＺ信号生成用のＡＢＣでＲＺ変調又はＣＳＲＺ変調をする場合としない場合の信号を選択してそれぞれの光信号出力部（１６ａ、１６ｂ）に出力可能とし、前記光デュオバイナリ信号生成用のＡＢＣ、前記Ｉ信号生成用のＡＢＣ、前記Ｑ信号生成用のＡＢＣ及び前記ＲＺ／ＣＳＲＺ信号生成用のＡＢＣのバイアス電圧の設定を可変し、かつ、前記光デュオバイナリ信号生成用のドライバ、前記Ｉ信号生成用のドライバ、前記Ｑ信号生成用のドライバ及びＲＺ／ＣＳＲＺ信号生成用のドライバの出力信号を可変することにより、複数の変調方式の変調光を生成することを特徴とする。
【００１２】
Ｉ信号生成用のＡＢＣ（３７）とＱ信号生成用のＡＢＣ（３８）とＲＺ／ＣＳＲＺ信号生成用のＡＢＣ（５３）と光デュオバイナリ信号生成用のＡＢＣ（４４）のバイアス電圧の設定、及び、Ｉ信号生成用のドライバ（３５）とＱ信号生成用のドライバ（３６）とＲＺ／ＣＳＲＺ信号生成用のドライバ（５１、５２）と光デュオバイナリ信号生成用のドライバ（４３）の出力信号を可変することにより、ＯＯＫ変調方式、光デュオバイナリ変調方式、ＤＰＳＫ変調方式、ＤＱＰＳＫ変調方式、ＲＺ−ＤＰＳＫ変調方式、ＣＳＲＺ−ＤＰＳＫ変調方式、ＲＺ−ＤＱＰＳＫ変調方式、ＣＳＲＺ−ＤＱＰＳＫ変調方式のいずれかの変調方式の変調光を生成することができる光変調信号発生装置を提供することができる。
【００１３】
本願発明の光変調信号発生装置では、前記ＲＺ／ＣＳＲＺ信号生成用のＭＺＭからの変調光と前記第１の光スイッチのもう一方の出力光とが入力されて選択して出力する第２の光スイッチ（１５ｂ）を配置し、前記ＲＺ／ＣＳＲＺ信号生成用のＭＺＭでＲＺ変調又はＣＳＲＺ変調をする場合としない場合の変調光を前記第２の光スイッチで切り替えて１つの光信号出力部（１６）に出力可能とし、前記光デュオバイナリ信号生成用のＡＢＣ、前記Ｉ信号生成用のＡＢＣ、前記Ｑ信号生成用のＡＢＣ及び前記ＲＺ／ＣＳＲＺ信号生成用のＡＢＣのバイアス電圧の設定を可変し、かつ、前記光デュオバイナリ信号生成用のドライバ、前記Ｉ信号生成用のドライバ、前記Ｑ信号生成用のドライバ及びＲＺ／ＣＳＲＺ信号生成用のドライバの出力信号を可変することにより、複数の変調方式の変調光を生成するようにすることが好ましい。
本発明により、ＯＯＫ変調方式、光デュオバイナリ変調方式、ＤＰＳＫ変調方式、ＤＱＰＳＫ変調方式、ＲＺ−ＤＰＳＫ変調方式、ＣＳＲＺ−ＤＰＳＫ変調方式、ＲＺ−ＤＱＰＳＫ変調方式、ＣＳＲＺ−ＤＱＰＳＫ変調方式のいずれかの変調方式の変調光を、１つの光信号出力部から出力することができる。
【００１４】
本願発明の光変調信号発生装置では、伝送信号であるデジタル信号が入力され、光デュオバイナリ符号に変換する光デュオバイナリ信号エンコーダ（４１）と、該光デュオバイナリ信号エンコーダからの信号が入力され、低周波成分のみを透過させるローパスフィルタ（ＬＰＦ）（４２）と、伝送信号であるデジタル信号を１対２に分配するＤｅｍｕｘ（３２）と、前記Ｄｅｍｕｘからのデジタル信号が入力され、ＤＰＳＫ符号に変換するＩ信号生成用のＤＰＳＫエンコーダ（３３）及びＱ信号生成用のＤＰＳＫエンコーダ（３４）と、伝送信号であるデジタル信号と前記Ｄｅｍｕｘからの信号が入力され、いずれか一方を前記Ｉ信号生成用のＤＰＳＫエンコーダ及び前記Ｑ信号生成用のＤＰＳＫエンコーダに出力する第１のＲｆスイッチ（３１）と、伝送信号であるデジタル信号と前記ＬＰＦからの信号と前記Ｉ信号生成用のＤＰＳＫエンコーダからの信号と前記Ｑ信号生成用のＤＰＳＫエンコーダからの信号とが入力され、前記Ｉ信号生成用のドライバと前記Ｑ信号生成用のドライバと前記光デュオバイナリ信号生成用のドライバに出力する第２のＲｆスイッチ（１８）と、をさらに備えることが好ましい。
【００１５】
なお、上記各発明は、可能な限り組み合わせることができる。
【発明の効果】
【００１６】
本発明によれば、本願発明の光変調信号発生装置は、１台で、各種変調方式の変調光を生成することができる光変調信号発生装置を提供することができる。
【図面の簡単な説明】
【００１７】
【図１】実施形態１に係る光変調信号発生装置の一例を示す構成図である。
【図２】実施形態１に係るＩ信号生成用のＭＺＭ、Ｑ信号生成用のＭＺＭ、ＲＺ／ＣＳＲＺ信号生成用のＭＺＭでの信号振幅とバイアス電圧の設定の一例を示す。
【図３】ＡＢＣが設定するバイアス電圧の設定の一例を示す。
【図４】光デュオバイナリ変調光の一例を示す。
【図５】ＯＯＫ変調光の一例を示す。
【図６】ＤＰＳＫ変調光の一例を示す。
【図７】ＯＯＫ変調光とＤＰＳＫ変調光との関係を示す。
【図８】ＲＺ−ＤＰＳＫ変調光の一例を示す。
【図９】ＣＳＲＺ−ＤＰＳＫ変調光の一例を示す。
【図１０】実施形態２に係る光変調信号発生装置の一例を示す構成図である。
【図１１】実施形態２に係るＩ信号生成用のＭＺＭ、Ｑ信号生成用のＭＺＭ、光デュオバイナリ信号生成用のＭＺＭ、ＲＺ／ＣＳＲＺ信号生成用のＭＺＭでの信号振幅とバイアス電圧の一例を示す。
【図１２】実施形態３に係る光変調信号発生装置の一例を示す構成図である。
【図１３】実施形態３に係るＩ信号生成用のＭＺＭ、Ｑ信号生成用のＭＺＭ、光デュオバイナリ信号生成用のＭＺＭ、ＲＺ／ＣＳＲＺ信号生成用のＭＺＭでの信号振幅とバイアス電圧の一例を示す。
【発明を実施するための形態】
【００１８】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１９】
（実施形態１）
図１は、実施形態１に係る光変調信号発生装置の一例を示す構成図である。本発明の実施形態に係る光変調信号発生装置９１は、ＤＰＳＫ変調又はＤＱＰＳＫ変調を行うＤＱＰＳＫ変調部１２と、ＲＺ変調又はＣＳＲＺ変調を行うＲＺ／ＣＳＲＺ変調部１４と、を備え、複数の変調方式の変調光を生成する。
【００２０】
レーザ光源（ＬＤ）２６とＤＱＰＳＫ変調部１２とドライバ３５とドライバ３６とＡＢＣ３７とＡＢＣ３８は、ＤＰＳＫ変調光を生成する。例えば、ＬＤ２６は、任意の波長のレーザ光を出力する。ＤＱＰＳＫ変調部１２は、ＬＤ２６の出力光が入力され、マッハツェンダ干渉計の２つの光路上に、Ｉ信号生成用のＭＺＭ（以下、ＭＺＭと称す。）２１、Ｑ信号生成用のＭＺＭ２２及び両変調光の位相を直交させるπ／２位相シフタ２５を配置した。ＲＺ／ＣＳＲＺ信号生成用のＭＺＭ２４は、該ＤＱＰＳＫ変調部１２の出力光が入力され、ＲＺ変調光又はＣＳＲＺ変調光を出力する。これにより、ＤＱＰＳＫ変調部１２は、ＭＺＭ２１とＭＺＭ２２の両方を用いてＬＤ２６からの光を変調すればＤＱＰＳＫ変調光を生成し、ＭＺＭ２１とＭＺＭ２２の一方のみを用いてＬＤ２６からの光を変調すればＤＰＳＫ変調光を生成する。ここで、Ｉ信号生成用のＭＺＭ２１、Ｑ信号生成用のＭＺＭ２２、ＲＺ／ＣＳＲＺ信号生成用のＭＺＭ２４には、ＬＮ変調器を用いることができる。
【００２１】
ＭＺＭ２４とドライバ５１とドライバ５２とＡＢＣ５３は、ＲＺ変調光を生成する。例えば、Ｉ信号生成用のドライバ３５は、エンコードされた符号が入力され、Ｉ信号生成用のＭＺＭ２１に任意の振幅の変調信号を出力する。Ｑ信号生成用のドライバ３６は、エンコードされた符号が入力され、Ｑ信号生成用のＭＺＭ２２に任意の振幅の変調信号を出力する。Ｉ信号生成用のＡＢＣ３７は、Ｉ信号生成用のＭＺＭ２１に任意のバイアス電圧を設定する。Ｑ信号生成用のＡＢＣ３８は、Ｑ信号生成用のＭＺＭ２２に任意のバイアス電圧を設定する。ＲＺ／ＣＳＲＺ信号生成用のドライバ５１及びＲＺ／ＣＳＲＺ信号生成用のドライバ５２は、変調信号クロックＣＬＫが入力されてＲＺ／ＣＳＲＺ信号生成用のＭＺＭ２４に任意の振幅の変調信号を出力する。ＲＺ／ＣＳＲＺ信号生成用のＡＢＣ５３は、ＲＺ／ＣＳＲＺ信号生成用のＭＺＭ２４に任意のバイアス電圧を設定する。
【００２２】
光デュオバイナリ信号エンコーダ４１は、伝送信号であるデジタル信号が入力され、光デュオバイナリ符号に変換する。ローパスフィルタ（ＬＰＦ）４２は、該光デュオバイナリ信号エンコーダ４１からの信号が入力され、低周波成分のみを透過させる。Ｄｅｍｕｘ３２は、伝送信号であるデジタル信号を１対２に分配する。ＤＰＳＫエンコーダ３３及びＤＰＳＫエンコーダ３４は、Ｄｅｍｕｘ３２からのデジタル信号が入力され、ＤＰＳＫ符号に変換する。Ｒｆ（Ｒａｄｉｏ  Ｆｒｅｑｕｅｎｃｙ）スイッチ３１は、伝送信号であるデジタル信号とＤｅｍｕｘ３２からの信号が入力され、いずれか一方をＤＰＳＫエンコーダ３３及びＤＰＳＫエンコーダ３４に出力する。ここで、ＬＰＦ４２としては、ベッセルフィルタを用いることができる。
【００２３】
上記構成を用い、Ｉ信号生成用のＡＢＣ３７、Ｑ信号生成用のＡＢＣ３８及びＲＺ／ＣＳＲＺ信号生成用のＡＢＣ５３のバイアス電圧の設定を可変し、かつ、Ｉ信号生成用のドライバ３５、Ｑ信号生成用のドライバ３６、ＲＺ／ＣＳＲＺ信号生成用のドライバ５１及びＲＺ／ＣＳＲＺ信号生成用の５２の出力信号を可変することにより、複数の変調方式の変調光を生成する。図２に、Ｉ信号生成用のＭＺＭ、Ｑ信号生成用のＭＺＭ、ＲＺ／ＣＳＲＺ信号生成用のＭＺＭでの信号振幅とバイアス電圧の設定の一例を示す。図３にＡＢＣが設定するバイアス電圧の設定の一例を示す。バイアス電圧の設定値には、ＭＺＭの透過光強度が最大となる「最大」と、ＭＺＭの透過光強度が最小となる「最小」と、最大と最小の中間電圧である「ＱＵＡＤ」の３種がある。
【００２４】
図４に、光デュオバイナリ変調光の生成例を示す。この場合、図１に示すＩ信号生成用のドライバ３５の信号振幅を２Ｖπにし、Ｉ信号生成用のＡＢＣ３７のバイアス電圧の設定を最小にする。そして、Ｑ信号生成用のドライバ３６の信号振幅を無変調にし、Ｑ信号生成用のＡＢＣ３８のバイアス電圧の設定を最小にする。
【００２５】
光デュオバイナリ信号エンコーダ４１は、デジタル信号入力部１１からのデジタル信号を光デュオバイナリ符号に変換する。ＬＰＦ４２は、光デュオバイナリ信号エンコーダ４１からの信号うちの低周波成分のみを通過させる。これにより、光デュオバイナリ符号化された信号がドライバ３５に入力される。ドライバ３５は、ＬＰＦ４２からの光デュオバイナリ符号に応じた信号振幅を有する変調信号を出力する。ＭＺＭ２１は、ドライバ３５からの変調信号に従って、ＬＤ２６からの光を変調する。これにより、ＤＱＰＳＫ変調部１２は、光デュオバイナリ変調光を生成することができる。
【００２６】
ここで、光デュオバイナリ信号エンコーダ４１は、例えば、デジタル信号入力部１１からのデジタル信号がクロック入力に入力されて当該デジタル信号を１ビット遅延させるＤタイプのフリップフロップ回路と、前記Ｄタイプのフリップフロップ回路からの出力Ｑとデジタル信号入力部１１からのデジタル信号が入力される第１のＡＮＤ回路と、Ｄタイプのフリップフロップ回路からの反転出力Ｑバーとデジタル信号入力部１１からのデジタル信号が入力される第２のＡＮＤ回路と、第１のＡＮＤ回路及び第２のＡＮＤ回路からの出力信号の代数和をとる加算回路と、で構成することができる。
【００２７】
図５に、ＯＯＫ変調光の生成例を示す。この場合、図１に示すＩ信号生成用のドライバ３５の信号振幅をＶπにし、Ｉ信号生成用のＡＢＣ３７のバイアス電圧の設定をＱＵＡＤにし、Ｑ信号生成用のドライバ３６の信号振幅を無変調にし、Ｑ信号生成用のＡＢＣ３８のバイアス電圧の設定を最小にする。
【００２８】
Ｉ信号生成用のドライバ３５は、デジタル信号入力部１１からのデジタル信号に応じた信号振幅を有する変調信号を出力する。ＭＺＭ２１は、ドライバ３５からの変調信号に従って、ＬＤ２６からの光を変調する。これにより、ＤＱＰＳＫ変調部１２は、ＯＯＫ変調光を生成することができる。
【００２９】
図６に、ＤＰＳＫ変調光の生成例を示す。この場合、図１に示すＩ信号生成用のドライバ３５の信号振幅を２Ｖπにし、Ｉ信号生成用のＡＢＣ３７のバイアス電圧の設定を最小にし、Ｑ信号生成用のドライバ３６の信号振幅を２Ｖπにし、Ｑ信号生成用のＡＢＣ３８のバイアス電圧の設定を最小にする。
【００３０】
Ｉ信号生成用ＤＰＳＫエンコーダ３３は、Ｄｅｍｕｘ３２からのデジタル信号をＤＰＳＫ符号に変換する。例えば、Ｄｅｍｕｘ３２からのデジタル信号とＤｅｍｕｘ３２からのデジタル信号を１ｂｉｔシフトした信号との排他的論理輪（ＥＸＯＲ：Ｅｘｃｌｕｉｖｅ  ＯＲ）をとって符号化する。Ｉ信号生成用ＤＰＳＫエンコーダ３３は、さらに、ベッセルフィルタ等のＬＰＦを用いて、符号化したデジタル信号の低周波成分のみを透過させる。これにより、ＮＲＺビット列「０１１０００１」を、符号「０１００００１」に符号化したデジタル信号を得ることができる。
【００３１】
Ｉ信号生成用のドライバ３５は、ＤＰＳＫエンコーダ３３からのＤＰＳＫ符号に応じた信号振幅を有する変調信号を出力する。例えば、Ｉ信号生成用のドライバ３５は、ＬＰＦ４２からのビット列“０”、“１”に応じた電圧の駆動信号をＩ信号生成用のＭＺＭ２１に印加する。Ｉ信号生成用のＭＺＭ２１は、ドライバ３５からの変調信号に従って、ＬＤ２６からの光を変調する。例えば、Ｉ信号生成用のＭＺＭ２１は、ビット列“０”、“１”を、“０相”、“π相”に対応させて光位相変調を行う。これにより、ＤＱＰＳＫ変調部１２は、ＤＰＳＫ変調光を生成することができる。
【００３２】
ＤＰＳＫ変調項を復調する際は、ＭＺ干渉計で位相差が同相の信号光と逆相の信号光とに分けて２つのフォトデテクターを用いて差動検波する。ＭＺ干渉計では、入射した光が、ＭＺ干渉計の２つの光路の一方に同位相の光として、ＭＺ干渉計の２つの光路のもう一方に位相をπ／２シフトした光として伝搬する。入射した光と同位相の光を１ビット分遅延させ、ＭＺ干渉計の２つの光路の光を合波し、これを２分岐してそれぞれの信号光を２乗検波してＬＰＦを通過させる。これにより、変調符号「０π００００π」とこれを１ビット遅延した符号とのＸＯＲ演算後の符号「０ππ０００π」を検出し、ＮＲＺビット列「０１１０００１」を復調することができる。
【００３３】
図７に、ＯＯＫ変調光とＤＰＳＫ変調光との関係を示す。ＤＰＳＫ変調光を生成するときは、バイアス電圧を最小に設定し、信号振幅を２Ｖπに設定する。ＯＯＫ変調光を生成するときは、バイアス電圧をＱＵＡＤに設定し、信号振幅をＶπに設定する。これにより、ＡＢＣ３７のバイアス電圧とドライバ３５の信号振幅を変更するだけで、簡単に異なる変調方式の変調光を生成することができる。
【００３４】
ＤＱＰＳＫ変調光を生成する場合、Ｉ信号生成用のドライバ３５の信号振幅を２Ｖπにし、Ｉ信号生成用のＡＢＣ３７のバイアス電圧の設定を最小にし、Ｑ信号生成用のドライバ３６の信号振幅を２Ｖπにし、Ｑ信号生成用のＡＢＣ３８のバイアス電圧の設定を最小にする。このとき、ＤＰＳＫエンコーダ３３及び３４へ入力される変調信号のクロック周波数は、デジタル信号入力部１１に入力されるデジタル信号のクロック周波数ｆ０の１／２である。
【００３５】
この状態で、Ｄｅｍｕｘ３２は、デジタル信号入力部１１からのデジタル信号を１：２にＤｅｍｕｘする。ＤＰＳＫエンコーダ３３及びＤＰＳＫエンコーダ３４は、Ｄｅｍｕｘ３２からのデジタル信号をＤＰＳＫ符号に変換する。ドライバ３５は、ＤＰＳＫエンコーダ３３からのＤＰＳＫ符号に応じた信号振幅を有する変調信号を出力する。ドライバ３６は、ＤＰＳＫエンコーダ３４からのＤＰＳＫ符号に応じた信号振幅を有する変調信号を出力する。
【００３６】
ＭＺＭ２１は、ドライバ３５からの変調信号に従って、ＬＤ２６からの光を変調する。ＭＺＭ２２は、ドライバ３６からの変調信号に従って、ＬＤ２６からの光を変調する。π／２位相シフタ２５は、ＭＺＭ２２からの変調光の位相をπ／２シフトさせる。ＭＺＭ２１からの変調光とπ／２位相シフタ２５からの変調光は合波され、ＤＱＰＳＫ変調光が生成される。これにより、ＤＱＰＳＫ変調部１２はＤＱＰＳＫ変調光を生成することができる。
【００３７】
ＲＺ変調光及びＣＳＲＺ変調光のいずれも生成しない場合、ＲＺ／ＣＳＲＺ信号生成用のドライバ５１及びドライバ５２を無変調にし、ＲＺ／ＣＳＲＺ信号生成用のＡＢＣ５３のバイアス電圧の設定を最大にする。この状態で、ＤＱＰＳＫ変調部１２から出力された変調光をＭＺＭ２４に入力すると、ＭＺＭ２４は、ＤＱＰＳＫ変調部１２から出力された変調光をそのまま通過させる。これにより、ＲＺ／ＣＳＲＺ変調部１４からの変調光を光信号出力部１６から出力することができる。
【００３８】
したがって、ＲＺ／ＣＳＲＺ変調部１４からの変調光を光信号出力部１６から出力することで、光変調信号発生装置９１は、ＯＯＫ変調光、光デュオバイナリ変調光、ＤＰＳＫ変調光及びＤＱＰＳＫ変調光のいずれかを生成することができる。
【００３９】
図８に、ＲＺ−ＤＰＳＫ変調光の生成例を示す。この場合、図１に示すＲＺ／ＣＳＲＺ信号生成用のドライバ５１及びドライバ５２の信号振幅を２Ｖπにし、ＲＺ／ＣＳＲＺ信号生成用のＡＢＣ５３のバイアス電圧の設定を最大にする。また、ドライバ５１及びドライバ５２へ入力される変調信号のクロック周波数は、デジタル信号入力部１１に入力されるデジタル信号のクロック周波数ｆ０と同一でよい。
【００４０】
ＭＺＭ２４は、ドライバ５１及びドライバ５２からの変調信号に従って、ＤＱＰＳＫ変調部１２から出力された変調光をＲＺ変調する。これにより、ＲＺ／ＣＳＲＺ変調部１４は、信号振幅が一定であるＤＰＳＫ変調光をビットスロット毎にパルス形成したＲＺ−ＤＰＳＫ変調光を生成することができる。
【００４１】
従って、ＲＺ／ＣＳＲＺ変調部１４からの変調光を光信号出力部１６から出力することで、光変調信号発生装置９１は、ＲＺ−ＤＰＳＫ変調光生成することができる。なお、ＭＺＭ２４に入力される変調光がＤＱＰＳＫ変調光の場合、ＲＺ−ＤＰＳＫ変調光と同様の設定にてＲＺ−ＤＱＰＳＫ変調光を生成することができる。
【００４２】
図９に、ＣＳＲＺ−ＤＰＳＫ変調光の生成例を示す。この場合、図１に示すＲＺ／ＣＳＲＺ信号生成用のドライバ５１及びドライバ５２の信号振幅を２Ｖπにし、ＲＺ／ＣＳＲＺ信号生成用のＡＢＣ５３のバイアス電圧の設定を最小にする。また、ドライバ５１及びドライバ５２へ入力される変調信号のクロック周波数は、デジタル信号入力部１１に入力されるデジタル信号のクロック周波数ｆ０の１／２である。
【００４３】
ＭＺＭ２４は、ドライバ５１及びドライバ５２からの変調信号に従って、ＤＱＰＳＫ変調部１２から出力された変調光をＣＳＲＺ変調する。ここで、ＭＺＭ２４がビットスロット毎に０相とπ相で位相変調するよう、ドライバ５１とドライバ５２からの変調信号の正負を逆転させる。これにより、ＲＺ／ＣＳＲＺ変調部１４は、信号振幅が一定であるＤＱＰＳＫ変調光をビットスロット毎に０相とπ相で交互に位相変化したパルスを形成したＣＳＲＺ−ＤＰＳＫ変調光を生成することができる。
【００４４】
従って、ＲＺ／ＣＳＲＺ変調部１４からの変調光を光信号出力部１６から出力することで、光変調信号発生装置９１は、ＣＳＲＺ−ＤＰＳＫ変調光を生成することができる。なお、ＭＺＭ２４に入力される変調光がＤＱＰＳＫ変調光の場合、ＣＳＲＺ−ＤＰＳＫ変調光と同様の設定にてＣＳＲＺ−ＤＱＰＳＫ変調光を生成することができる。
【００４５】
なお、本実施形態では、ＭＺＭ２１、ＭＺＭ２２及びＭＺＭ２４が片側駆動型である例を示したが、片側駆動に代えてプッシュプル駆動型を用いることもできる。これにより、１つのドライバ当りの変調振幅を低減できる。
【００４６】
（実施形態２）
図１０は、実施形態２に係る光変調信号発生装置の一例を示す構成図である。実施形態１ではＤＱＰＳＫ変調部１２を用いて光デュオバイナリ変調を行なったが、本実施形態では光デュオバイナリ変調を行う光デュオバイナリ変調部１３を別途設けている。以下、具体的に構成について説明する。
【００４７】
第１のＬＤ２６は、任意の波長のレーザ光を出力する。ＤＱＰＳＫ変調部１２は、該ＬＤ２６の出力光が入力され、マッハツェンダ干渉計の２つの光路上に、Ｉ信号生成用のＭＺＭ２１、Ｑ信号生成用のＭＺＭ２２及び両変調光の位相を直交させるπ／２位相シフタ２５が配置されている。
【００４８】
第２のＬＤ２７は、任意の波長のレーザ光を出力する。光デュオバイナリ信号生成用のＭＺＭ２３は、ＬＤ２７の出力光が入力され、光デュオバイナリ変調光を出力する。光デュオバイナリ信号生成用のドライバ４３は、光デュオバイナリ符号にエンコードされた信号、またはデジタル信号が入力され、光デュオバイナリ信号生成用のＭＺＭ２３に任意の振幅の変調信号を出力する。光デュオバイナリ信号生成用のＡＢＣ４４は、光デュオバイナリ信号生成用のＭＺＭ２３に任意のバイアス電圧を設定する。
【００４９】
２×２の第１の光スイッチ１５ａは、光デュオバイナリ信号生成用のＭＺＭ２３からの強度変調光とＤＱＰＳＫ変調部１２からの光位相変調光とが入力され、入力された変調光のいずれか一方を選択して出力する。ＲＺ／ＣＳＲＺ信号生成用のＭＺＭ２４は、第１の光スイッチ１５ａの一方の出力光が入力され、ＲＺ変調光又はＣＳＲＺ変調光を出力する。
【００５０】
Ｉ信号生成用のドライバ３５は、エンコードされた符号が入力され、Ｉ信号生成用のＭＺＭに任意の振幅の変調信号を出力する。Ｑ信号生成用のドライバ３６は、エンコードされた符号が入力され、Ｑ信号生成用のＭＺＭに任意の振幅の変調信号を出力する。Ｉ信号生成用のＡＢＣ３７は、Ｉ信号生成用のＭＺＭ２１に任意のバイアス電圧を設定する。Ｑ信号生成用のＡＢＣ３８は、Ｑ信号生成用のＭＺＭ２２に任意のバイアス電圧を設定する。ＲＺ／ＣＳＲＺ信号生成用のドライバ５１及びＲＺ／ＣＳＲＺ信号生成用のドライバ５２は、変調信号クロックＣＬＫが入力されてＲＺ／ＣＳＲＺ信号生成用のＭＺＭ２４に任意の振幅の変調信号を出力する。ＲＺ／ＣＳＲＺ信号生成用のＡＢＣ５３は、ＲＺ／ＣＳＲＺ信号生成用のＭＺＭ２４に任意のバイアス電圧を設定する。
【００５１】
第１の光スイッチ１５ａからの出力光は、一方は光信号出力部１６ａに出力され、もう一方はＲＺ／ＣＳＲＺ信号生成用のＭＺＭ２４に出力される。ＲＺ／ＣＳＲＺ信号生成用のＡＢＣ５３でＲＺ変調又はＣＳＲＺ変調をする場合としない場合の信号を選択してそれぞれの光信号出力部１６ａ及び１６ｂに出力可能となっている。
【００５２】
光デュオバイナリ信号エンコーダ４１は、伝送信号であるデジタル信号が入力され、光デュオバイナリ符号に変換する。ＬＰＦ４２は、光デュオバイナリ信号エンコーダ４１からの信号が入力され、低周波成分のみを透過させる。Ｄｅｍｕｘ３２は、伝送信号であるデジタル信号を１対２に分配する。Ｉ信号生成用のＤＰＳＫエンコーダ３３及びＱ信号生成用のＤＰＳＫエンコーダ３４は、Ｄｅｍｕｘ３２からのデジタル信号が入力され、ＤＰＳＫ符号に変換する。第１のＲｆスイッチ３１は、伝送信号であるデジタル信号とＤｅｍｕｘ３２からの信号が入力され、いずれか一方をＩ信号生成用のＤＰＳＫエンコーダ３３及びＱ信号生成用のＤＰＳＫエンコーダ３４に出力する。第２のＲｆスイッチ１８は、伝送信号であるデジタル信号とＬＰＦ４２からの信号とＩ信号生成用のＤＰＳＫエンコーダ３３からの信号とＱ信号生成用のＤＰＳＫエンコーダ３４からの信号とが入力され、Ｉ信号生成用のドライバ３５とＱ信号生成用のドライバ３６と光デュオバイナリ信号生成用のドライバ４３に出力する。ここで、ＬＰＦ４２としては、ベッセルフィルタを用いることができる。
【００５３】
上記構成を用い、光デュオバイナリ信号生成用のＡＢＣ４４、Ｉ信号生成用のＡＢＣ３７、Ｑ信号生成用のＡＢＣ３８及びＲＺ／ＣＳＲＺ信号生成用のＡＢＣ５３のバイアス電圧の設定を可変し、かつ、光デュオバイナリ信号生成用のドライバ４３、Ｉ信号生成用のドライバ３５、Ｑ信号生成用のドライバ３６、ＲＺ／ＣＳＲＺ信号生成用のドライバ５１及びＲＺ／ＣＳＲＺ信号生成用の５２の出力信号を可変することにより、複数の変調方式の変調光を生成する。図１１に、Ｉ信号生成用のＭＺＭ、Ｑ信号生成用のＭＺＭ、光デュオバイナリ信号生成用のＭＺＭ、ＲＺ／ＣＳＲＺ信号生成用のＭＺＭでの信号振幅とバイアス電圧の一例を示す。
【００５４】
光デュオバイナリ変調光を生成する場合、図４に示すように、光デュオバイナリ信号生成用のドライバ４３の信号振幅を２Ｖπにし、光デュオバイナリ信号生成用のＡＢＣ４４のバイアス電圧の設定を最小にする。この状態で、光デュオバイナリ信号エンコーダ４１がデジタル信号入力部１１からのデジタル信号を光デュオバイナリ符号に変換し、ＬＰＦ４２が光デュオバイナリ信号エンコーダ４１からの信号うちの低周波成分のみを通過させ、ドライバ４３がＬＰＦ４２からの光デュオバイナリ符号に応じた信号振幅を有する変調信号を出力する。ＭＺＭ２３は、ドライバ４３からの変調信号に従って、ＬＤ２７からの光を変調する。これにより、光デュオバイナリ変調部１３は、光デュオバイナリ変調光を生成することができる。
【００５５】
ＯＯＫ変調光を生成する場合、図５に示すように、光デュオバイナリ信号生成用のドライバ４３の信号振幅をＶπにし、光デュオバイナリ信号生成用のＡＢＣ４４のバイアス電圧の設定をＱＵＡＤにする。この状態で、ドライバ４３がデジタル信号入力部１１からのデジタル信号に応じた信号振幅を有する変調信号を出力する。ＭＺＭ２３は、ドライバ４３からの変調信号に従って、ＬＤ２７からの光を変調する。これにより、光デュオバイナリ変調部１３は、ＯＯＫ変調光を生成することができる。
【００５６】
ＤＰＳＫ変調光及びＤＱＰＳＫ変調光については、実施形態１と同様にして、ＤＱＰＳＫ変調部１２が生成する。
【００５７】
ＤＱＰＳＫ変調部１２及び光デュオバイナリ変調部１３からの変調光は、第１の光スイッチ１５ａに入力される。ＲＺ／ＣＳＲＺ変調部１４がＲＺ変調光及びＣＳＲＺ変調光のいずれも生成しない場合、第１の光スイッチ１５ａは、入力された変調光を光信号出力部１６ａに出力する。これにより、光変調信号発生装置９２は、ＯＯＫ変調光、光デュオバイナリ変調光、ＤＰＳＫ変調光及びＤＱＰＳＫ変調光のいずれかの変調光を生成して出力することができる。
【００５８】
ＲＺ／ＣＳＲＺ変調部１４がＲＺ変調光を生成する場合、図８に示すように、ＲＺ／ＣＳＲＺ信号生成用のドライバ５１及びドライバ５２の信号振幅を２Ｖπにし、ＲＺ／ＣＳＲＺ信号生成用のＡＢＣ５３のバイアス電圧の設定を最大にする。この状態で、第１の光スイッチ１５ａは、入力された変調光をＲＺ／ＣＳＲＺ変調部１４に出力する。ＲＺ／ＣＳＲＺ信号生成用のＭＺＭ２４は、ドライバ５１及びドライバ５２からの変調信号に従って、第１の光スイッチ１５ａから出力された変調光をＲＺ変調する。これにより、ＲＺ／ＣＳＲＺ変調部１４は、ＲＺ−ＤＰＳＫ変調光及びＲＺ−ＤＱＰＳＫ変調光を生成することができる。
【００５９】
ＲＺ／ＣＳＲＺ変調部１４がＣＳＲＺ変調光を生成する場合、図９に示すように、ドライバ５１及びドライバ５２の信号振幅を２Ｖπにし、ＡＢＣ５３のバイアス電圧の設定を最小にする。この状態で、第１の光スイッチ１５ａは、入力された変調光をＲＺ／ＣＳＲＺ変調部１４に出力する。ＲＺ／ＣＳＲＺ信号生成用のＭＺＭ２４は、第１の光スイッチ１５ａから出力された変調光をＣＳＲＺ変調して、光信号出力部１６ｂから出力する。これにより、ＲＺ／ＣＳＲＺ変調部１４は、ＣＳＲＺ−ＤＰＳＫ変調光及びＣＳＲＺ−ＤＱＰＳＫ変調光を生成することができる。
【００６０】
なお、本実施形態では、ＭＺＭ２１、ＭＺＭ２２、ＭＺＭ２３及びＭＺＭ２４が片側駆動型である例を示したが、片側駆動に代えてプッシュプル駆動型を用いることもできる。これにより、変調振幅を低減できる。
【００６１】
（実施形態３）
図１２は、実施形態３に係る光変調信号発生装置の一例を示す構成図である。本実施形態に係る光変調信号発生装置９３では、実施形態２の光変調信号発生装置９２において、第２の光スイッチ１５ｂを設け、変調光を１つの光信号出力部１６からに出力可能とすることを特徴とする。
【００６２】
第２の光スイッチ１５ｂは、ＲＺ／ＣＳＲＺ信号生成用のＭＺＭ２４の出力光と第１の光スイッチ１５ａのもう一方の出力光とが入力され選択して出力する。ＲＺ／ＣＳＲＺ信号生成用のＭＺＭ２４でＲＺまたはＣＳＲＺ変調をする場合と、しない場合の変調光を第２の光スイッチ１５ｂで切り替えて１つの光信号出力部１６に出力可能とする。
【００６３】
上記構成を用い、光デュオバイナリ信号生成用のＡＢＣ４４、Ｉ信号生成用のＡＢＣ３７、Ｑ信号生成用のＡＢＣ３８及びＲＺ／ＣＳＲＺ信号生成用のＡＢＣ５３のバイアス電圧の設定を可変し、かつ、光デュオバイナリ信号生成用のドライバ４３、Ｉ信号生成用のドライバ３５、Ｑ信号生成用のドライバ３６、ＲＺ／ＣＳＲＺ信号生成用のドライバ５１及びＲＺ／ＣＳＲＺ信号生成用の５２の出力信号を可変することにより、複数の変調方式の変調光を生成する。図１３に、Ｉ信号生成用のＭＺＭ、Ｑ信号生成用のＭＺＭ、光デュオバイナリ信号生成用のＭＺＭ、ＲＺ／ＣＳＲＺ信号生成用のＭＺＭでの信号振幅とバイアス電圧の一例を示す。
【００６４】
光デュオバイナリ変調部１３は、実施形態２と同様にして、ＯＯＫ変調光及び光デュオバイナリ変調光のいずれかを生成して第１の光スイッチ１５ａに出力する。ＤＱＰＳＫ変調部１２は、実施形態１と同様にして、ＤＰＳＫ変調光及びＤＱＰＳＫ変調光のいずれかを生成して第１の光スイッチ１５ａに出力する。
【００６５】
ＤＱＰＳＫ変調部１２及び光デュオバイナリ変調部１３からの変調光は、第１の光スイッチ１５ａに入力される。ＲＺ／ＣＳＲＺ変調部１４がＲＺ変調光及びＣＳＲＺ変調光のいずれも生成しない場合、第１の光スイッチ１５ａは、ＤＱＰＳＫ変調部１２及び光デュオバイナリ変調部１３からの変調光のいずれかを第２の光スイッチ１５ｂに出力する。そして、第２の光スイッチ１５ｂは、第１の光スイッチ１５ａからの変調光を光信号出力部１６に出力する。これにより、光変調信号発生装置９３は、ＯＯＫ変調光、光デュオバイナリ変調光、ＤＰＳＫ変調光又はＤＱＰＳＫ変調光を生成して出力することができる。
【００６６】
ＲＺ／ＣＳＲＺ変調部１４がＲＺ変調光を生成する場合、図８に示すように、ＲＺ／ＣＳＲＺ信号生成用のドライバ５１及びドライバ５２の信号振幅を２Ｖπにし、ＲＺ／ＣＳＲＺ信号生成用のＡＢＣ５３のバイアス電圧の設定を最大にする。この状態で、第１の光スイッチ１５ａは、入力された変調光をＲＺ／ＣＳＲＺ変調部１４に出力する。ＭＺＭ２４は、ドライバ５１及びドライバ５２からの変調信号に従って、第１の光スイッチ１５ａから出力された変調光をＲＺ変調する。これにより、ＲＺ／ＣＳＲＺ変調部１４は、ＲＺ−ＤＰＳＫ変調光及びＲＺ−ＤＱＰＳＫ変調光を生成することができる。
【００６７】
ＲＺ／ＣＳＲＺ変調部１４がＣＳＲＺ変調光を生成する場合、図９に示すように、ドライバ５１及びドライバ５２の信号振幅を２Ｖπにし、ＡＢＣ５３のバイアス電圧の設定を最小にする。この状態で、第１の光スイッチ１５ａは、入力された変調光をＲＺ／ＣＳＲＺ変調部１４に出力する。ＭＺＭ２４は、ドライバ５１及びドライバ５２からの変調信号に従って、第１の光スイッチ１５ａから出力された変調光をＣＳＲＺ変調する。これにより、ＲＺ／ＣＳＲＺ変調部１４は、ＣＳＲＺ−ＤＰＳＫ変調光及びＣＳＲＺ−ＤＱＰＳＫ変調光を生成することができる。
【００６８】
ＲＺ／ＣＳＲＺ変調部１４からの変調光は、第２の光スイッチ１５ｂに入力される。第２の光スイッチ１５ｂは、ＲＺ／ＣＳＲＺ変調部１４からの変調光を光信号出力部１６に出力する。これにより、光変調信号発生装置９３は、ＲＺ−ＤＰＳＫ変調光、ＲＺ−ＤＱＰＳＫ変調光、ＣＳＲＺ−ＤＰＳＫ変調光及びＣＳＲＺ−ＤＱＰＳＫ変調光のいずれかを生成して出力することができる。
【００６９】
なお、本実施形態では、ＭＺＭ２１、ＭＺＭ２２、ＭＺＭ２３及びＭＺＭ２４が片側駆動型である例を示したが、片側駆動に代えてプッシュプル駆動型を用いることもできる。これにより、変調振幅を低減できる。
【産業上の利用可能性】
【００７０】
本発は光変調信号を生成するため、情報通信産業に適用することができる。
【符号の説明】
【００７１】
１１：デジタル信号入力部
１２：ＤＱＰＳＫ変調部
１３：光デュオバイナリ変調部
１４：ＲＺ／ＣＳＲＺ変調部
１５ａ：第１の光スイッチ
１５ｂ：第２の光スイッチ
１６、１６ａ、１６ｂ：光信号出力部
１８：第２のＲｆスイッチ
２１：Ｉ信号生成用のＭＺＭ
２２：Ｑ信号生成用のＭＺＭ
２３：光デュオバイナリ信号生成用のＭＺＭ
２４：ＲＺ／ＣＳＲＺ信号生成用のＭＺＭ
２５：π／２位相シフタ
２６、２７：レーザ光源
３１：第１のＲｆスイッチ
３２：Ｄｅｍｕｘ
３３：Ｉ信号生成用のＤＰＳＫエンコーダ
３４：Ｑ信号生成用のＤＰＳＫエンコーダ
３５：Ｉ信号生成用のドライバ
３６：Ｑ信号生成用のドライバ
３７：Ｉ信号生成用のＡＢＣ
３８：Ｑ信号生成用のＡＢＣ
４１：光デュオバイナリ信号エンコーダ
４２：ＬＰＦ
４３：光デュオバイナリ信号生成用のドライバ
４４：光デュオバイナリ信号生成用のＡＢＣ
５１、５２：ＲＺ／ＣＳＲＺ信号生成用のドライバ
５３：ＲＺ／ＣＳＲＺ信号生成用のＡＢＣ
９１、９２、９３：光変調信号発生装置
【図１】
2010287925.tif 000003
【図２】
2010287925.tif 000004
【図３】
2010287925.tif 000005
【図４】
2010287925.tif 000006
【図５】
2010287925.tif 000007
【図６】
2010287925.tif 000008
【図７】
2010287925.tif 000009
【図８】
2010287925.tif 000010
【図９】
2010287925.tif 000011
【図１０】
2010287925.tif 000012
【図１１】
2010287925.tif 000013
【図１２】
2010287925.tif 000014
【図１３】
2010287925.tif 000015